(57)【要約】【課題】より多くの情報を表示することができるパウチを提供することを課題とする。【解決手段】シート材を用いて形成されると共に、物品を収容する収容空間を形成する袋状の本体部と、該袋状の本体部の表面の少なくとも一部を覆う被覆部とを備え、該被覆部は、少なくとも一部が袋状の本体部に分離可能に連結されており、被覆部の少なくとも一部が袋状の本体部から分離することで、袋状の本体部における被覆部によって覆われる領域が視認可能になるように構成される。【選択図】図２
2019059494.tif 000002
【特許請求の範囲】
【請求項１】
シート材を用いて形成されると共に、物品を収容する収容空間を形成する袋状の本体部と、該袋状の本体部の表面の少なくとも一部を覆う被覆部とを備え、該被覆部は、少なくとも一部が袋状の本体部に分離可能に連結されており、
被覆部の少なくとも一部が袋状の本体部から分離することで、袋状の本体部における被覆部によって覆われる領域が視認可能になるように構成されるパウチ。
【請求項２】
前記袋状の本体部は、一枚のシート材が一方の面側へ一方向に沿って折り返されることで形成された対向する一対の対向壁部と、該一対の対向壁部が前記収容空間を囲むように連結されることで形成された本体部連結部とを備えており、
前記一枚のシート材における一対の対向壁部以外の領域によって前記被覆部が形成される請求項１に記載のパウチ。
【請求項３】
前記被覆部は、外周端部の少なくとも一部に、袋状の本体部に連結されていない被覆部非連結部を備える請求項１又は２に記載のパウチ。
【請求項４】
物品を収容する収容空間を形成する袋状の本体部を備えるパウチの製造方法であって、
一枚のシート材を一方の面側へ一方向に沿って折り返すことで対向する一対の対向壁部を形成する工程と、前記一枚のシート材における一対の対向壁部以外の領域を前記一枚のシート材の他方の面側へ一方向に沿って折り返すことで袋状の本体部の表面の少なくとも一部を覆う被覆部を形成する工程と、一対の対向壁部における前記収容空間を形成する領域を囲むように一対の対向壁部同士を連結して袋状の本体部を形成する工程と、該袋状の本体部に被覆部を分離可能に連結する工程とを備えるパウチの製造方法。
【発明の詳細な説明】
【技術分野】
【０００１】
本発明は、物品を収容するパウチ、及び、該パウチの製造方法に関する。
【背景技術】
【０００２】
従来から、食品等の物品を収容したパウチ（包装袋）が知られている。該パウチは、シート材を用いて形成される。具体的には、対向するように配置される一対のシート材の外周端部同士がシールされることで、袋状の本体部が形成されており、該袋状の本体部の内側に物品が収容される収容空間が形成されている。
【０００３】
上述のように、パウチは、一般的にシート材を用いて形成されるため、自立させたり、重ねたりすることが困難なものである。そこで、箱の中にパウチを収容することによって、自立させたり、重ねたりすることが可能な製品として販売される場合がある（特許文献１参照）。また、パウチを箱の中に収容して製品とすることで、パウチの表面だけでなく、箱の表面や裏面にも製品情報や広告などを表示することができるため、消費者への情報提供を効果的に行うことが可能となっている。
【先行技術文献】
【特許文献】
【０００４】
【特許文献１】特開２０１７−０３９５４４号公報
【発明の概要】
【発明が解決しようとする課題】
【０００５】
ここで、上述のように、パウチが箱に収容されている場合、パウチ内の物品を取り出す際には、箱の開封とパウチの開封とを行う必要があるため、煩雑な作業が必要になる。また、パウチから物品を取り出した後には、パウチとと共に箱も廃棄されることになるため、ゴミが嵩むことになる。このため、箱を用いることなくパウチのみを消費者へ提供することが要求されている。
【０００６】
しかしながら、箱を用いない場合、パウチのみに、製品情報や広告などを表示することが必要になるため、箱を用いた場合より表示できる情報量が少なくなってしまう。
【０００７】
そこで、本発明は、より多くの情報を表示することができるパウチを提供すると共に、該パウチの製造方法を提供することを課題とする。
【課題を解決するための手段】
【０００８】
本発明に係るパウチは、シート材を用いて形成されると共に、物品を収容する収容空間を形成する袋状の本体部と、該袋状の本体部の表面の少なくとも一部を覆う被覆部とを備え、該被覆部は、少なくとも一部が袋状の本体部に分離可能に連結されており、被覆部の少なくとも一部が袋状の本体部から分離することで、袋状の本体部における被覆部によって覆われる領域が視認可能になるように構成される。
【０００９】
斯かる構成によれば、袋状の本体部の表面の少なくとも一部を覆う被覆部とを備える。また、該被覆部は、少なくとも一部が袋状の本体部に分離可能に連結される。そして、被覆部の少なくとも一部が袋状の本体部から分離することで、袋状の本体部における被覆部によって覆われる領域が視認可能になるように構成される。これにより、袋状の本体部の表面（被覆部を分離することで視認可能となる領域を含む）に、製品情報や広告などを表示することができると共に、被覆部の表裏面にも製品情報や広告などを表示することができる。このため、被覆部を備えない従来のパウチよりも多くの情報を表示することができる。
【００１０】
前記袋状の本体部は、一枚のシート材が一方の面側へ一方向に沿って折り返されることで形成された対向する一対の対向壁部と、該一対の対向壁部が前記収容空間を囲むように連結されることで形成された本体部連結部とを備えており、前記一枚のシート材における一対の対向壁部以外の領域によって前記被覆部が形成されることが好ましい。
【００１１】
斯かる構成によれば、袋状の本体部は、一枚のシート材が一方の面側へ一方向に沿って折り返されることで形成された対向する一対の対向壁部と、該一対の対向壁部が収容空間を囲むように連結されることで形成された連結部とを備えている。また、前記一枚のシート材における一対の対向壁部以外の領域によって被覆部が形成される。つまり、袋状の本体部と被覆部とが一枚のシート材から形成されるため、複数のシート材を組み合わせてパウチを形成する場合よりも少ない資材でパウチの製造を行うことができる。
【００１２】
前記被覆部は、外周端部の少なくとも一部に、袋状の本体部に連結されていない被覆部非連結部を備えることが好ましい。
【００１３】
斯かる構成によれば、被覆部は、外周端部の少なくとも一部に、袋状の本体部に連結されていない非連結部を備える。これにより、非連結部を指などで摘むことが可能になるため、該非連結部を摘んで被覆部を引っ張ることで、被覆部の少なくとも一部を袋状の本体部から容易に分離させることができる。
【００１４】
本発明に係るパウチの製造方法は、物品を収容する収容空間を形成する袋状の本体部を備えるパウチの製造方法であって、一枚のシート材を一方の面側へ一方向に沿って折り返すことで対向する一対の対向壁部を形成する工程と、前記一枚のシート材における一対の対向壁部以外の領域を前記一枚のシート材の他方の面側へ一方向に沿って折り返すことで袋状の本体部の表面の少なくとも一部を覆う被覆部を形成する工程と、一対の対向壁部における前記収容空間を形成する領域を囲むように一対の対向壁部同士を連結して袋状の本体部を形成する工程と、該袋状の本体部に被覆部を分離可能に連結する工程とを備える。
【発明の効果】
【００１５】
以上のように、本発明によれば、より多くの情報を表示することができる。
【図面の簡単な説明】
【００１６】
【図１】本発明の一実施形態に係るパウチを被覆部側から見た図。
【図２】同実施形態に係るパウチの袋状の本体部から被覆部の一部を分離した状態を示す図。
【図３】図１のＩ−Ｉ断面図。
【図４】図１のＩＩ−ＩＩ断面図。
【図５】（ａ）は、同実施形態に係るパウチを形成する一枚のシート材を示した斜視図、（ｂ）は、（ａ）の一枚のシート材が折り返されて一対の対向壁部が形成された状態を示す斜視図、（ｃ）は、（ａ）の一枚のシート材が折り返されて一対の対向壁部、及び、被覆部が形成された状態を示す斜視図。
【発明を実施するための形態】
【００１７】
以下に、本発明に係るパウチの一実施形態について、図１〜５に基づいて説明する。
【００１８】
図１，２に示すように、本実施形態に係るパウチ（包装袋）１は、シート材を用いて形成されるものである。シート材としては、特に限定されるものではなく、例えば、無軸延伸ポリプロピレン（ＣＰＰ）フィルムや、二軸延伸ポリプロピレン（ＯＰＰ）フィルム等を用いることができる。そして、パウチ１は、物品を収容する収容空間Ｒを形成する袋状の本体部２と、袋状の本体部２の表面の少なくとも一部を覆う被覆部３とを備える。
【００１９】
前記袋状の本体部２は、図３，４に示すように、対向するように配置される一対の対向壁部２ａ，２ａと、一対の対向壁部２ａ，２ａが連結された本体部連結部２ｂとを備える。図２に戻り、本体部連結部２ｂは、収容空間Ｒを囲むように連続して形成される。換言すれば、環状に形成された本体部連結部２ｂの内側に収容空間Ｒが形成される。本体部連結部２ｂを形成する方法としては、特に限定されるものではなく、例えば、一対の対向壁部２ａ，２ａの外周端部同士を全周に亘ってヒートシールしたり、該外周端部同士を全周に亘って接着剤や両面テープなどを用いて連結したりすることで本体部連結部２ｂを形成することができる。
【００２０】
前記被覆部３は、図２〜４に示すように、袋状の本体部２と略同一形状を有する。また、被覆部３は、一方の対向壁部２ａと重なるように配置される。また、被覆部３は、少なくとも一部が袋状の本体部２に分離可能に連結される。つまり、被覆部３は、袋状の本体部２に分離可能に連結される被覆部連結部３ａを備える。本実施形態では、被覆部連結部３ａは、被覆部３の外周端部の略全周に亘って形成される。そして、該被覆部連結部３ａは、袋状の本体部２（具体的には、一方の対向壁部２ａ）の外周端部（具体的には、本体部連結部２ｂを形成する外周端部）に分離可能に連結される。
【００２１】
袋状の本体部２と被覆部３とを分離可能に連結する方法としては、特に限定されるものではなく、例えば、袋状の本体部２と被覆部３とが重なるように配置された際に対向する面の少なくとも一方に易剥離層（所謂、イージーピール層）を形成し、該易剥離層を備える位置で袋状の本体部２と被覆部３とをヒートシールする方法や、該対向する面の少なくとも一方を粗面にし、該粗面の位置で袋状の本体部２と被覆部３とをヒートシールする方法が挙げられる。又は、袋状の本体部２と被覆部３とを分離可能な状態で接着剤や両面テープなどを用いて連結してもよい。また、被覆部３は、図１に示すように、外周端部の少なくとも一部に、袋状の本体部２に連結されていない被覆部非連結部３ｂを備える。本実施形態では、矩形状の被覆部３の角部が袋状の本体部２に連結されないことで被覆部非連結部３ｂが形成される。
【００２２】
上記のように構成される一対の対向壁部２ａ，２ａ、及び、被覆部３は、図５（ａ）に示すように、一枚のシート材Ｘから形成することができる。具体的には、図５（ｂ）に示すように、一枚のシート材Ｘを一方の面側へ一方向に沿って折り返すことで一対の対向壁部２ａ，２ａが形成される。また、一枚のシート材Ｘにおける一対の対向壁部２ａ，２ａ以外の領域によって被覆部３が形成される。具体的には、図５（ｃ）に示すように、一枚のシート材Ｘにおける一対の対向壁部２ａ，２ａ以外の領域を前記一枚のシート材Ｘの他方の面側へ一方向に沿って折り返すことで被覆部３が形成される。つまり、パウチ１（具体的には、袋状の本体部２）は、図４に示すように、一枚のシート材Ｘが折り返されることで形成される折返端部２ｃを備える。また、パウチ１は、一枚のシート材Ｘが折り返されることで形成される折返端部２ｄにおいて袋状の本体部２（具体的には、一方の対向壁部２ａ）と被覆部３とが連結される。
【００２３】
また、本実施形態では、パウチの製造方法としては、一枚のシート材Ｘを一方の面側へ一方向に沿って折り返すことで対向する一対の対向壁部２ａ，２ａを形成する工程と、前記一枚のシート材Ｘにおける一対の対向壁部２ａ，２ａ以外の領域を前記一枚のシート材の他方の面側へ一方向に沿って折り返すことで袋状の本体部２の表面の少なくとも一部を覆う被覆部３を形成する工程と、一対の対向壁部２ａ，２ａにおける前記収容空間Ｒを形成する領域を囲むように一対の対向壁部２ａ，２ａ同士を連結して袋状の本体部２を形成する工程と、該袋状の本体部２に被覆部３を分離可能に連結する工程とを備える。なお、上記の各工程の順序としては、特に限定されるものではない。
【００２４】
上記のように構成されるパウチ１は、袋状の本体部２の表面、及び／又は、被覆部３の表裏面に製品情報や広告などを表示することができる。また、パウチ１は、被覆部３の少なくとも一部が袋状の本体部２から分離することで、袋状の本体部２における被覆部３によって覆われる領域が視認可能になる。具体的には、被覆部非連結部３ｂを指などで摘んで被覆部３を引っ張ることで、被覆部３を袋状の本体部２から分離する（例えば、剥離する）ことで、袋状の本体部２における被覆部３によって覆われる領域（具体的には、製品情報や広告などが表示された領域）が視認可能となる。
【００２５】
以上のように、本発明に係るパウチ、及び、該パウチの製造方法によれば、より多くの情報を表示することができる。
【００２６】
即ち、上記実施形態のように、パウチ１は、袋状の本体部２の表面の少なくとも一部を覆う被覆部３とを備える。また、パウチ１は、該被覆部３は、少なくとも一部が袋状の本体部２に分離可能に連結される。そして、被覆部３の少なくとも一部が袋状の本体部２から分離することで、袋状の本体部２における被覆部３によって覆われる領域が視認可能になるように構成される。これにより、袋状の本体部２の表面（被覆部３を分離することで視認可能となる領域を含む）に、製品情報や広告などを表示することができると共に、被覆部３の表裏面にも製品情報や広告などを表示することができる。このため、被覆部３を備えない従来のパウチよりも多くの情報を表示することができる。
【００２７】
また、パウチ１は、一枚のシート材Ｘが一方の面側へ一方向に沿って折り返されることで形成された対向する一対の対向壁部２ａ，２ａと、該一対の対向壁部２ａ，２ａが収容空間Ｒを囲むように連結されることで形成された本体部連結部２ｂとを備えている。また、パウチ１は、前記一枚のシート材Ｘにおける一対の対向壁部２ａ，２ａ以外の領域によって被覆部３が形成される。つまり、袋状の本体部２と被覆部３とが一枚のシート材Ｘから形成されるため、複数のシート材を組み合わせてパウチを形成する場合よりも少ない資材でパウチ１の製造を行うことができる。
【００２８】
また、パウチ１は、被覆部３は、外周端部の少なくとも一部に、袋状の本体部２に連結されていない被覆部非連結部３ｂを備える。これにより、被覆部非連結部３ｂを指などで摘むことが可能になるため、該被覆部非連結部３ｂを摘んで被覆部３を引っ張ることで、被覆部３の少なくとも一部を袋状の本体部２から容易に分離させることができる。
【００２９】
なお、本発明に係るパウチ、及び、該パウチの製造方法は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００３０】
例えば、上記実施形態では、パウチ１（具体的には、一対の対向壁部２ａ，２ａ、及び、被覆部３）は、一枚のシート材Ｘから形成されているが、これに限定されるものではなく、例えば、一対の対向壁部２ａ，２ａと、被覆部３とが別々のシート材から形成されてもよく、一対の対向壁部２ａ，２ａが別々のシート材から形成されてもよく、一方の対向壁部２ａと被覆部３とが一枚のシート材から形成され、該シート材とは別のシート材から他方の対向壁部２ａが形成されてよい。
【００３１】
また、上記実施形態では、被覆部３は、外周端部が略全周に亘って袋状の本体部２に分離可能に連結されるように構成されているが、これに限定されるものではなく、例えば、外周端部の少なくとも一部が袋状の本体部２に分離可能に連結されるように構成されればよい。具体的には、袋状の本体部２（具体的には、一方の対向壁部２ａ）と被覆部３とを連結する位置の折返端部２ｄに対向する位置のみで、被覆部３の端部と袋状の本体部２とが分離可能に連結されてもよい。
【００３２】
また、上記実施形態では、被覆部３の外周端部が袋状の本体部２に分離可能に連結されているが、これに限定されるものではなく、例えば、被覆部３における外周端部よりも内側の領域が部分的に、又は、全体的に、袋状の本体部２に分離可能に連結されてもよい。つまり、斯かる場合には、被覆部３における外周端部よりも内側に被覆部連結部３ａが形成される。
【００３３】
また、本発明に係るパウチの用途としては、特に限定されるものではなく、例えば、収容される物品（例えば、食品等）が高温で加熱殺菌されるものである場合（例えば、レトルト食品である場合）には、所謂、レトルト用であってもよい。
【符号の説明】
【００３４】
１…パウチ、２…本体部、２ａ…対向壁部、２ｂ…本体部連結部、２ｃ…折返端部、２ｄ…折返端部、３…被覆部、３ａ…被覆部連結部、３ｂ…被覆部非連結部、Ｒ…収容空間、Ｘ…シート材
【図１】
2019059494.tif 000003
【図２】
2019059494.tif 000004
【図３】
2019059494.tif 000005
【図４】
2019059494.tif 000006
【図５】
2019059494.tif 000007